(57)【要約】      （修正有）【課題】フロントとテンプルとをねじを用いずに回動自在に連結し、テンプルの回動がスムーズなメガネフレームを提供する。【解決手段】フロントとテンプル１２０とを回動自在に連結する連結部材１５０を有し、テンプル１２０は、テンプル本体部を有し、テンプル本体部は、連結部材１５０を保持するテンプル１２０を閉じる方向に凸の保持部が設けられる板バネ部１２３を有し、フロントは、連結部材１５０が保持部に保持された状態で連結部材１５０のうちテンプル本体部よりもテンプル１２０を閉じる方向側の部分で連結部材１５０を固定する突起部１１２であって、テンプル１２０を閉じる方向に回動する際、テンプル本体部に当接して連結部材１５０を介して板バネ部１２３を弾性変形させる突起部１１２を有する。【選択図】図５
0003193712.tif 000002
【実用新案登録請求の範囲】
【請求項１】
フロントと、前記フロントに対して回動自在に設けられるテンプルとを有するメガネフレームにおいて、
前記フロントと前記テンプルとを回動自在に連結する連結部材を有し、
前記テンプルは、テンプル本体部を有し、
前記テンプル本体部は、前記連結部材を保持する前記テンプルを閉じる方向に凸の保持部が設けられる板バネ部を有し、
前記フロントは、前記連結部材が前記保持部に保持された状態で前記連結部材のうち前記テンプル本体部よりも前記テンプルを閉じる方向側の部分で前記連結部材を固定する固定部であって、前記テンプルを閉じる方向に回動する際、前記テンプル本体部に当接して前記連結部材を介して前記板バネ部を弾性変形させる固定部を有することを特徴とするメガネフレーム。
【請求項２】
前記連結部材は、前記テンプルの回動軸方向における端面に溝を有し、
前記固定部は、前記溝に嵌ることで前記連結部材を固定することを特徴とする請求項１に記載のメガネフレーム。
【請求項３】
前記連結部材は、周面に環状溝を有する円柱形状であって、
前記保持部は、前記環状溝に嵌ることで、前記連結部材を保持することを特徴とする請求項１又は２に記載のメガネフレーム。
【請求項４】
前記テンプルは、前記テンプルを開いた展開位置から、前記板バネ部を弾性変形させつつさらに開く方向に回動可能であることを特徴とする請求項１〜３のいずれか１項に記載のメガネフレーム。
【考案の詳細な説明】
【技術分野】
【０００１】
本考案は、メガネフレームに関するものである。
【背景技術】
【０００２】
一般にメガネフレームは、フロントと、フロントに対して回動自在なテンプルとで構成される。特許文献１に示すように、テンプルはねじの中心軸などを回動中心として回動自在に設けられるが、テンプルを頻繁に回動させるとねじが緩んでしまい、テンプルがガタついてしまう場合がある。その都度、緩んだねじを締める等メンテナンスが必要となる。また、ねじは経年劣化しやすく、寿命が短い。さらに、ねじを用いてフロントとテンプルを連結するには、ドライバー等の工具が必要であり、メガネフレームの組立てに手間がかかる。
【先行技術文献】
【特許文献】
【０００３】
【特許文献１】特開２０１４−５９４９５号公報
【考案の概要】
【考案が解決しようとする課題】
【０００４】
そこで、本考案の目的は、フロントとテンプルとをねじを用いずに回動自在に連結し、かつテンプルの回動がスムーズなメガネフレームを提供することにある。
【課題を解決するための手段】
【０００５】
本考案は、上記課題を解決するために以下の手段を採用した。
【０００６】
すなわち、本考案の眼鏡フレームは、
フロントと、前記フロントに対して回動自在に設けられるテンプルとを有するメガネフレームにおいて、
前記フロントと前記テンプルを回動自在に連結する連結部材を有し、
前記テンプルは、テンプル本体部を有し、
前記テンプル本体部は、前記連結部材を保持する前記テンプルを閉じる方向に凸の保持部が設けられる板バネ部を有し、
前記フロントは、前記連結部材が前記保持部に保持された状態で前記連結部材のうち前記テンプル本体部よりも前記テンプルを閉じる方向側の部分で前記連結部材を固定する固定部であって、前記テンプルを閉じる方向に回動する際、前記テンプル本体部に当接して前記連結部材を介して前記板バネ部を弾性変形させる固定部を有することを特徴とする。
【０００７】
この構成によると、フロントとテンプルとが連結部材により回動自在に連結され、ねじを用いることなく容易にメガネフレームを組み立てることが可能となる。また、ねじを用いないため、緩んだねじを締める等のメンテナンスが不要である。また、テンプルを閉じる方向に回動する際、テンプル本体部の板バネ部が弾性変形することより、テンプルを閉じる方向に抗する方向に力が働く。そのため、テンプルを閉じた状態から開く場合、板バネ部の弾性力により、テンプルがスムーズに開くこととなる。また、テンプルは板バネ部の弾性力が働かない位置まで開くこととなり、常に同じ位置まで開くこととなる。すなわち、テンプルを開いた時のフロントに対するテンプルの位置が安定する。
【０００８】
連結部材はテンプルの回動中心方向における端面に溝を有し、固定部はその溝に嵌ることで連結部材を固定するとよい。このように、フロントの固定部が連結部材の溝に嵌るこ
とで、ねじを用いず、フロントと連結部材とを容易に固定することができる。
【０００９】
連結部材は、周面に環状溝を有する円柱形状であって、保持部は、環状溝に嵌ることで、連結部材を保持するとよい。このような構成にすることで、保持部による連結部材の保持状態が安定する。
【００１０】
テンプルは、テンプルを開いた展開位置から、板バネ部を弾性変形させつつさらに開く方向に回動可能であるとよい。このような構成にすることで、ユーザがメガネを掛けた際、テンプルを閉じる方向に板バネ部による弾性力が働くこととなり、適度な圧力で顔が締め付けられることとなり、掛け心地がよい。
【考案の効果】
【００１１】
以上説明したように、本考案によれば、フロントとテンプルとをねじを用いずに回動自在に連結し、かつテンプルの回動がスムーズなメガネフレームを提供することができる。
【図面の簡単な説明】
【００１２】
【図１】本実施例のメガネフレームの構成を示す図であって、テンプルが展開位置にある状態を示す図
【図２】フロントとテンプルとを連結部材を用いて連結した状態を示す図
【図３】フロントとテンプルとを連結部材を用いて連結した状態を示す斜視図
【図４】智と連結部材を示す斜視図
【図５】テンプルの回動と、その際に作用する板バネによる弾性力について説明する図
【図６】テンプルを展開位置からさらに開いた場合の効果について説明するための図
【考案を実施するための形態】
【００１３】
以下、図面を参照して、この考案を実施するための形態を実施例に基づいて例示的に詳しく説明する。ただし、この実施例に記載されている構成部品の寸法、材質、形状、その相対配置などは、特に特定的な記載がない限りは、この考案の範囲をそれらのみに限定する趣旨のものではない。
【００１４】
（本実施例）
まず、図１〜図４を参照して、本考案の実施例（以下、本実施例）に係るメガネフレームの全体構成について説明する。ここで、以下、テンプルが折り畳まれた位置を折り畳み位置、使用者がメガネを着用する際のテンプルが開いた位置を展開位置と定義する。
【００１５】
図１は、本実施例に係るメガネフレームの構成を示す図であって、テンプルが展開位置にある状態を示す図である。図１（ａ）はテンプルが展開位置にあるメガネフレームを上側から見た図であり、図１（ｂ）はテンプルが展開位置にあるメガネフレームを左側から見た図である。図２は、本実施例に係るメガネフレームにおける、フロントとテンプルとを連結部材を用いて連結した状態を示す図である。図２（ａ）は、図１（ａ）の連結構造を示す部分を拡大した拡大図であり。図２（ｂ）は、図１（ｂ）の連結構造を示す部分を拡大した拡大図である。図３は、本実施例に係るメガネフレームにおける、フロントとテンプルとを連結部材を用いて連結した状態を示す斜視図である。図４は、智と連結部材を示す斜視図である。
【００１６】
図１に示すように、本実施例に係るメガネフレーム１００は、フロント１１０と、テンプル１２０とを有している。テンプル１２０は、フロント１１０に対して回動可能に設けられている。フロント１１０は、レンズ１１３の周りを囲む左右一対のリム部（レンズ枠体）１１１と、リム部１１１の両端部にそれぞれ設けられる一対の智１１２と、を備える
枠体である。
【００１７】
図２（ｂ）に示すように、テンプル１２０は、金属等から成るテンプル本体部１２１と、テンプル本体部１２１の長手方向に沿ってテンプル本体部１２１に設けられる２本のスリット１２２ａと、スリット１２２ａよりもテンプル１２０の基端側に設けられる孔部１２２ｂと、を有する。そして、テンプル１２０は、スリット１２２ａと孔部１２２ｂが設けられることにより形成される板バネ部１２３を有する。図３に示すように、板バネ部１２３は、テンプル本体部１２３の自由端側から基端側（図２中の右側から左側）へ延びており、その先端部にテンプル１２０を閉じる方向に向けて凸になるように湾曲する保持部１２３ａを有する。
【００１８】
さらに、本実施例に係るメガネフレーム１００は、フロント１１０とテンプル１２０とを連結する連結部材１５０を有している。図４に示すように、連結部材１５０は、円柱形状であって、その周面に環状の溝（以下、環状溝）１５０ａを有し、上面と下面（テンプルの回動軸方向の端面）に直線状の溝（以下、直線溝）１５０ｂをそれぞれ有している。連結部材１５０は樹脂等から成る。
【００１９】
また、図４に示すように、智１１２は、その端部の上下からそれぞれ延びる固定部としての突起部１１２ａを有している。突起部１１２ａは、連結部材１５０の直線溝１５０ｂに嵌合可能に構成される。突起部１１２ａが直線溝１５０ｂに嵌った状態でそれらの間には摩擦力が働き、突起部１１２ａは直線溝１５０ｂからスムーズに抜けない構成となっている。
【００２０】
＜連結構造＞
さらに、連結部材１５０を用いた、フロント１１０とテンプル１２０を連結する構造について説明する。まず、連結部材１５０をテンプル本体部１２１に設けられる板バネ部１２３に保持させる。具体的には、板バネ部１２３の先端の保持部１２３ａを連結部材１５０の環状溝１５０ａに嵌める。この際、連結部材１５０の直線溝１５０ｂがテンプル本体部１２１よりも内側にくるようにする。
【００２１】
そして、連結部材１５０が板バネ部１２３の保持部１２３ａに嵌って保持された状態で智１１２の突起部１１２ａを連結部材１５０の直線溝１５０ｂに嵌める。これにより、連結部材１５０は、テンプル本体部１２１よりもテンプル１２０を閉じる方向側の部分で突起部１２１ａと固定される。このように組み立てることで、テンプル１２０とフロント１１０とが連結部材１５０を介して連結される。フロント１１０に対して連結されたテンプル１２０は、円柱形状の連結部材１５０の軸中心を回動中心として、フロント１１０に対して回動自在である。このように、本実施例の構成においては、ねじ等を用いることなくテンプル１２０をフロントに対して回動自在に連結することができるため、テンプル１２０を頻繁に回動させてもねじの緩みに対するメンテナンスが不要である。
【００２２】
＜板バネ部の作用＞
次に、図５を参照して、テンプルを回動させる際の板バネ部１２３の作用について説明する。図５は、フロントに対して回動するテンプルを示す図である。図５（ａ）はテンプルが展開位置にある状態を示し、図５（ｃ）はテンプルが折り畳み位置にある状態を示し、図５（ｂ）はテンプルが展開位置から折り畳み位置に移動する途中の状態を示す図である。テンプル１２０は、連結部材１５０の軸中心を回動中心として回動自在である。そして、テンプル１２０が回動する際、智１１２の突起部１１２ａの先端部１１２ｂがテンプル１２０の本体部１２１に当接し、テンプル１２０の回動に伴い本体部１２１に摺動するように構成されている。智１１２の突起部１１２ａは、テンプル１２０を閉じる方向に回動する際、テンプル本体部１２１に当接して連結部材１５０を介して板バネ部１２３を弾
性変形させるよう構成されている。以下、板バネ部１２３の弾性変形と、弾性変形により発生する弾性力について詳細を説明する。
【００２３】
図５（ａ）に示す展開位置にあるテンプル１２０を折り畳む方向（図中矢印Ｒ方向）に回動させると、テンプル本体部１２１に対する連結部材１５０の位置が折り畳む方向に変位する。連結部材１５０の位置の変位に伴い、板バネ部１２３が弾性変形して折り畳む方向に向けて曲がる。弾性変形した板バネ部１２３は、曲げられた方向と逆方向に向けて弾性力を発生する。この弾性力により、折り畳む方向と逆方向、すなわちテンプル１２０を展開する方向（図中矢印ｒ方向）に回動させる方向に力が働く。
【００２４】
ここで、智１１２の突起部１１２ａの先端部１１２ｂは、テンプル１２０に当接するように設けられている。そして、テンプル１２０をフロント１１０（智１１２）に対して回動させる際、突起部１１２ａとテンプル１２０との間には摩擦力が発生する。図５（ａ）に示す状態から折り畳む方向に回動して図５（ｂ）に示す位置にきたテンプルは、板バネ部１２３の弾性力によりテンプル１２０を展開する方向（矢印ｒ方向）に回動させる力が、突起部１１２ａとテンプル１２０との間に働く静止摩擦力よりも大きい場合、図５（ａ）の状態に戻る。
【００２５】
板バネ部１２３の弾性力によりテンプル１２０を展開する方向（矢印ｒ方向）に回動させる力が、突起部１１２ａとテンプル１２０との間に働く静止摩擦力よりも小さい場合、テンプル１２０は図５（ｂ）に示す状態の位置を維持する。
【００２６】
図５（ｂ）に示す状態から、さらにテンプル１２０を折り畳む方向に回動すると、図５（ｃ）に示す状態となる。この状態においては、板バネ部１２３の弾性力は働いているが、突起部１１２ａが弾性力に抗する方向でテンプル本体部１２１に突き当たっており、テンプル１２０は回動せず図５（ｃ）に示す状態を維持する。図５（ｃ）に示す状態からさらにテンプル１２０を折り畳み方向Ｒに回動させた場合、テンプル１２０の自由端側がフロント１１０に当たることでそれ以上は折り畳み方向Ｒに回動できない。このようにこれ以上折り畳み方向Ｒに回動できない位置がテンプル１２０の折り畳み位置である。
【００２７】
次に、折り畳み位置から展開位置にテンプル１２０が回動する際の板バネ部１２３の作用について説明する。すなわち、図５（ｃ）に示す状態から、図５（ｂ）に示す状態を経て、図５（ａ）に示す状態となる場合の板バネ部１２３の作用について説明する。
【００２８】
上述したように、テンプル１２０を折り畳む方向に曲がった状態の板バネ部１２３は、テンプル１２０を展開する方向（矢印ｒ方向）に回動させる力を発生する。したがって、図５（ｂ）に示すように、折り畳み位置から一定以上、テンプル１２０が展開した際に、使用者がそれ以上テンプル１２０を開く方向に力を加えなくとも、板バネ部１２３の弾性力によりテンプル１２０は図５（ａ）に示す展開位置へと移動する。テンプル１２０は板バネ部１２３の弾性力が働かない位置まで開くこととなり、常に同じ位置まで開くこととなる。すなわち、テンプル１２０を開いた時のフロント１１０に対するテンプル１２０の位置が安定する。
【００２９】
さらに、図６を参照して、本実施例の他の効果について説明する。図６は、テンプルを展開位置からさらに開いた場合の効果について説明するための図である。図６（ａ）は、テンプル１２０を開いた展開位置にある状態を示す図である。図６（ｂ）は、展開位置からさらにテンプルを開く方向に回動させた際の状態を示す図である。図６（ｂ）に示すように、本実施例においては、展開位置からテンプル１２０を閉じる方向と逆方向（図中矢印Ｓ方向）にある程度拡げることが可能に構成されている。そして、そのようにテンプル１２０を拡げる際、板バネ部１２３が弾性変形をする。板バネ部１２３による弾性力は、
テンプル１２０を開く方向と逆方向、すなわちテンプル１２０を閉じる方向に働く。したがって、ユーザがメガネを掛けた際、テンプル１２０によって顔が適度な圧力で締め付けられることとなり、掛け心地が良い。
【００３０】
なお、本実施例においては、智１１２の突起部１１２ａが連結部材１５０の直線溝１５０ｂに嵌合することで、智１１２と連結部材１５０とが固定される構成について説明したが、智１１２と連結部材１５０とが固定される構成であればこれに限られるものではない。
【符号の説明】
【００３１】
１００  メガネフレーム
１１０  フロント
１１１  リム
１１２  智
１１２ａ  突起部（固定部）
１１３  レンズ
１２０  テンプル
１２１  テンプル本体部
１２２ａ  スリッド
１２２ｂ  孔部
１２３  板バネ部
１２３ａ  保持部
１５０  連結部材
１５０ａ  環状溝
１５０ｂ  直線溝
【図１】
0003193712.tif 000003
【図２】
0003193712.tif 000004
【図３】
0003193712.tif 000005
【図４】
0003193712.tif 000006
【図５】
0003193712.tif 000007
【図６】
0003193712.tif 000008